(57)【要約】【課題】新たな通信インフラを増設することなく、構成要素の筐体を開放することを要さずに点灯設定の変更を可能とする照明装置を提供する。【解決手段】照明用電源装置１２を有する照明装置１は、照明用電源装置１２の装置筐体１３と、装置筐体１３の内部に配置され、光源１１に電力を供給する点灯回路１４と、装置筐体１３の外部に配置され、近距離無線通信用の無線信号を検出可能なＮＦＣアンテナ１５と、装置筐体１３の内部に配置され、ＮＦＣアンテナ１５によって検出された無線信号に含まれる設定変更情報を読み取るＮＦＣ回路１６と、装置筐体１３の内部に配置され、点灯設定を記憶するメモリ１７０、点灯設定に従って点灯回路１４を動作させる照明制御部１７１及び設定変更情報に基づいて点灯設定を変更する設定変更部１７２を含む制御回路１７とを備える。【選択図】  図３
2019121565.tif 000002
【特許請求の範囲】
【請求項１】
照明用電源装置を有する照明装置であって、
前記照明用電源装置の装置筐体と、
前記装置筐体の内部に配置され、光源に電力を供給する点灯回路と、
前記装置筐体の外部に配置され、近距離無線通信用の無線信号を検出可能なＮＦＣアンテナと、
前記装置筐体の内部に配置され、前記ＮＦＣアンテナによって検出された前記無線信号に含まれる設定変更情報を読み取るＮＦＣ回路と、
前記装置筐体の内部に配置され、点灯設定を記憶するメモリ、前記点灯設定に従って前記点灯回路を動作させる照明制御部及び前記設定変更情報に基づいて前記点灯設定を変更する設定変更部を含む制御回路と
を備えた照明装置。
【請求項２】
前記光源及び前記装置筐体を収容する器具筐体をさらに備え、
前記ＮＦＣアンテナが前記器具筐体の外面に配置された、請求項１に記載の照明装置。
【請求項３】
前記光源及び前記装置筐体を収容する器具筐体をさらに備え、
前記器具筐体が、前記光源からの光を透過させる非導電体の透明板を有し、
前記ＮＦＣアンテナが前記装置筐体の外面に配置された、請求項１に記載の照明装置。
【請求項４】
前記点灯設定が、前記点灯回路から前記光源に供給される出力電流の最大値、適用される調光率、前記光源の累積点灯時間に応じて前記出力電流を増加させる初期光束補正機能の有効化若しくは無効化の選択、又は前記累積点灯時間の値、の少なくとも１つを含む、請求項１から３のいずれか一項に記載の照明装置。
【請求項５】
前記制御回路が、前記点灯設定を変更したこと又は前記点灯設定を変更できなかったことに応じて、前記点灯回路に前記光源の光量を所定の態様で一時的に変化させるように構成された、請求項１から４のいずれか一項に記載の照明装置。
【請求項６】
前記照明装置の外部から視認可能なインジケータをさらに備え、
前記制御回路が、前記点灯設定を変更したこと又は前記点灯設定を変更できなかったことに応じて前記インジケータを点灯、点滅、明滅又は消灯させるように構成された、請求項１から４のいずれか一項に記載の照明装置。
【請求項７】
親機、子機及び照明装置を備える照明制御システムであって、
前記親機が、
装置筐体と、
前記装置筐体の外面に配置され、近距離無線通信用の無線信号を検出可能なＮＦＣアンテナと、
前記装置筐体の内部に配置され、前記ＮＦＣアンテナによって検出された前記無線信号から設定変更情報を読み取るＮＦＣ回路と、
前記装置筐体の内部に配置され、前記設定変更情報が存在しない場合には照明制御情報を含む制御指令を生成し、前記設定変更情報が存在する場合には該設定変更情報を含む制御指令を生成する親機処理部と、
前記装置筐体の内部に配置され、前記子機に前記制御指令を送信する親機通信部と
を備え、
前記子機が、
前記制御指令を受信する子機通信部と、
前記制御指令の信号形式を変換して制御信号を生成する子機処理部と、
前記制御信号を前記照明装置に出力する出力部と
を備え、
前記照明装置が、
光源に電力を供給する点灯回路と、
前記制御信号が入力される信号入力回路と、
点灯設定を記憶するメモリ、前記制御信号が前記照明制御情報又は前記設定変更情報を含む場合に通常モード又は設定モードをそれぞれ適用するモード決定部、前記通常モードにおいて前記照明制御情報に基づいて前記点灯回路を動作させる照明制御部、及び前記設定モードにおいて前記設定変更情報に基づいて前記点灯設定を変更する設定変更部を含む制御回路と
を備える、照明制御システム。
【請求項８】
上位装置及び照明装置を備える照明制御システムであって、
前記上位装置が、
装置筐体と、
前記装置筐体の外面に配置され、近距離無線通信用の無線信号を検出可能なＮＦＣアンテナと、
前記装置筐体の内部に配置され、前記ＮＦＣアンテナによって検出された前記無線信号に含まれる設定変更情報を読み取るＮＦＣ回路と、
前記装置筐体の内部に配置され、前記設定変更情報が存在しない場合には照明制御情報を含む制御信号を生成し、前記設定変更情報が存在する場合には該設定変更情報を含む制御信号を生成する処理部と、
前記制御信号を前記照明装置に出力する信号出力部と
を備え、
前記照明装置が、
光源に電力を供給する点灯回路と、
前記制御信号が入力される信号入力回路と、
点灯設定を記憶するメモリ、前記制御信号が前記照明制御情報又は前記設定変更情報を含む場合に通常モード又は設定モードをそれぞれ適用するモード決定部、前記通常モードにおいて前記照明制御情報に基づいて前記点灯回路を動作させる照明制御部、及び前記設定モードにおいて前記設定変更情報に基づいて前記点灯設定を変更する設定変更部を含む制御回路と
を備える、照明制御システム。
【請求項９】
前記点灯設定が、前記点灯回路から前記光源に供給される出力電流の最大値、前記光源の累積点灯時間に応じて前記出力電流を増加させる初期光束補正機能の有効化若しくは無効化の選択、又は前記累積点灯時間の値、の少なくとも１つを含む、請求項７又は８に記載の照明制御システム。
【請求項１０】
前記制御回路が、前記点灯設定を変更したこと又は前記点灯設定を変更できなかったことに応じて、前記点灯回路に前記光源の光量を所定の態様で一時的に変化させるように構成された、請求項７から９のいずれか一項に記載の照明制御システム。
【発明の詳細な説明】
【技術分野】
【０００１】
本発明は、照明装置及び照明制御システムに関する。
【背景技術】
【０００２】
特許文献１は、ＬＥＤトンネル照明装置を開示する。このＬＥＤトンネル照明装置は、開口部が設けられた箱型の筺体の中に、ＬＥＤと、ＬＥＤを駆動する駆動手段と、駆動手段に必要な電力を供給する電源部とを備える。ＬＥＤトンネル照明装置は、開口部側を下方に向けて、トンネル内上部、すなわちトンネル側壁から天井にかけての位置に配置される。また、特許文献２は、点灯初期に出力電流を低下させて調光点灯を行い、累積点灯時間の増加とともに出力電流を上昇させて全光点灯に近づけるいわゆる初期光束補正機能を有する道路照明装置を開示する。
【先行技術文献】
【特許文献】
【０００３】
【特許文献１】特開２０１４−２３５９５５号公報
【特許文献２】特開２０１４−０５３２５０号公報
【発明の概要】
【発明が解決しようとする課題】
【０００４】
上記のようなトンネル照明装置又は道路照明装置において、照明制御のための各種点灯設定、例えば、最大出力電流値、適用調光率、初期光束補正機能の有効化／無効化、累積点灯時間のリセット／セットなどを行う必要が生じる場合がある。このような点灯設定の変更を行うには、制御回路を内蔵する筐体の蓋部を開放して制御基板の調整作業（コネクタを接続して行うデータ書換え作業、ディップスイッチの切換作業など）を行う必要がある。しかし、特に屋外又は高所に設置される照明装置において、その筐体を開放して行う調整作業は、作業の状況（設置位置、天候など）によっては労力及び時間を要し、作業効率が悪い。特に、照明装置がトンネル照明又は道路照明に適用される場合には、調整作業中には付近を通行止めにする必要があるため、迅速な作業が望まれる。また、通常、このような点灯設定の変更が必要となる頻度は低く、その照明装置の寿命において数回程度以下と考えられる。したがって、点灯設定の変更のために新たな通信線、大掛かりな送受信機などの通信インフラを敷設するのは費用対効果の観点から望ましくない。
【０００５】
そこで、本発明は、新たな通信インフラを増設することなく、構成要素の筐体を開放することを要さずに点灯設定の変更を可能とする照明装置及び照明制御システムを提供することを課題とする。
【課題を解決するための手段】
【０００６】
本発明の第１の形態の照明用電源装置を有する照明装置は、照明用電源装置の装置筐体と、装置筐体の内部に配置され、光源に電力を供給する点灯回路と、装置筐体の外部に配置され、近距離無線通信用の無線信号を検出可能なＮＦＣアンテナと、装置筐体の内部に配置され、ＮＦＣアンテナによって検出された無線信号に含まれる設定変更情報を読み取るＮＦＣ回路と、装置筐体の内部に配置され、点灯設定を記憶するメモリ、点灯設定に従って点灯回路を動作させる照明制御部、及び設定変更情報に基づいて点灯設定を変更する設定変更部を含む制御回路とを備える。
【０００７】
上記照明装置によると、照明用電源装置の装置筐体の外部に無線信号を検出するＮＦＣアンテナが配置され、装置筐体の内部のＮＦＣ回路が無線信号から設定変更情報を読み取り、制御回路が設定変更情報に基づいて点灯設定を変更するように構成される。これにより、新たな通信インフラを増設することなく、照明用電源装置の装置筐体を開放することを要さずに点灯設定の変更を可能とする照明装置が実現される。
【０００８】
上記照明装置は、光源及び装置筐体を収容する器具筐体をさらに備え、ＮＦＣアンテナは器具筐体の外面に配置される。この場合も、器具筐体の開放を要さずに点灯設定の変更が可能となる。また、照明装置の外部からのＮＦＣアンテナの視認性が確保されるとともに確実に電波検出範囲が確保され、点灯設定変更の作業効率が向上し得る。
【０００９】
また、上記照明装置は、光源及び装置筐体を収容する器具筐体をさらに備え、器具筐体は光源からの光を透過させる非導電体の透明板を有し、ＮＦＣアンテナは装置筐体の外面に配置されていてもよい。この場合も、器具筐体の開放を要さずに点灯設定の変更が可能となる。また、照明装置の外部からのＮＦＣアンテナの視認性を確保しつつも、器具筐体によるＮＦＣアンテナの防汚性などの耐環境性が向上する。
【００１０】
ここで、点灯設定は、点灯回路から光源に供給される出力電流の最大値、適用される調光率、光源の累積点灯時間に応じて出力電流を増加させる初期光束補正機能の有効化若しくは無効化の選択、又は累積点灯時間の値、の少なくとも１つを含む。これにより、照明装置の設置後に変更され得る設定値又は機能が設定対象となり、照明制御の柔軟な変更が可能となる。
【００１１】
また、制御回路は、点灯設定を変更したこと又は点灯設定を変更できなかったことに応じて、点灯回路に光源の光量を所定の態様で一時的に変化させるように構成されていてもよい。これにより、作業者が点灯設定変更の成否を認識することができ、円滑な点灯設定変更の作業が可能となる。
【００１２】
またさらに、照明装置は、その外部から視認可能なインジケータを備え、制御回路は、点灯設定を変更したこと又は点灯設定を変更できなかったことに応じてインジケータを点灯、点滅、明滅又は消灯させるように構成されていてもよい。これにより、作業者は、より明確に点灯設定変更の成否を認識することができる。
【００１３】
本発明の第２の形態の一例による照明制御システムは、親機、子機及び照明装置を備える。親機は、装置筐体と、装置筐体の外面に配置され、近距離無線通信用の無線信号を検出可能なＮＦＣアンテナと、装置筐体の内部に配置され、ＮＦＣアンテナによって検出された無線信号から設定変更情報を読み取るＮＦＣ回路と、装置筐体の内部に配置され、設定変更情報が存在しない場合には照明制御情報を含む制御指令を生成し、設定変更情報が存在する場合には設定変更情報を含む制御指令を生成する親機処理部と、装置筐体の内部に配置され、子機に制御指令を送信する親機通信部とを備える。子機は、制御指令を受信する子機通信部と、制御指令の信号形式を変換して制御信号を生成する子機処理部と、制御信号を照明装置に出力する出力部とを備える。照明装置は、光源に電力を供給する点灯回路と、制御信号が入力される信号入力回路と、点灯設定を記憶するメモリ、制御信号が照明制御情報又は設定変更情報を含む場合に通常モード又は設定モードをそれぞれ適用するモード決定部、通常モードにおいて照明制御情報に基づいて点灯回路を動作させる照明制御部及び設定モードにおいて設定変更情報に基づいて点灯設定を変更する設定変更部を含む制御回路とを備える。
【００１４】
上記照明制御システムによると、親機の装置筐体の外面に無線信号を検出するＮＦＣアンテナが配置され、装置筐体の内部のＮＦＣ回路が無線信号から設定変更情報を読み取り、親機処理部が設定変更情報を含む制御指令を生成し、子機において制御指令が制御信号に形式変換されて照明装置に伝送される。そして、照明装置の制御回路は、制御信号に含まれる設定変更情報に基づいて点灯設定を変更することができる。これにより、新たな通信インフラを増設することなく、照明装置の筐体はもちろんのこと、親機の装置筐体を開放することを要さずに点灯設定の変更を可能とする照明制御システムが実現される。特に、本例では、親機において点灯設定の変更が可能であるので、照明装置の遠隔位置から（場合によっては複数の）照明装置の点灯設定変更を効率的に行うことが可能となる。
【００１５】
本発明の第２の形態の他の例による照明制御システムは、上位装置及び照明装置を備える。上位装置は、装置筐体と、装置筐体の外面に配置され、近距離無線通信用の無線信号を検出可能なＮＦＣアンテナと、装置筐体の内部に配置され、ＮＦＣアンテナによって検出された無線信号に含まれる設定変更情報を読み取るＮＦＣ回路と、装置筐体の内部に配置され、設定変更情報が存在しない場合には照明制御情報を含む制御信号を生成し、設定変更情報が存在する場合には設定変更情報を含む制御信号を生成する処理部と、制御信号を照明装置に出力する信号出力部とを備える。照明装置は、光源に電力を供給する点灯回路と、記制御信号が入力される信号入力回路と、点灯設定を記憶するメモリ、制御信号が照明制御情報又は設定変更情報を含む場合に通常モード又は設定モードをそれぞれ適用するモード決定部、通常モードにおいて照明制御情報に基づいて点灯回路を動作させる照明制御部及び設定モードにおいて設定変更情報に基づいて点灯設定を変更する設定変更部を含む制御回路とを備える。
【００１６】
上記照明制御システムによると、上位装置の装置筐体の外面に無線信号を検出するＮＦＣアンテナが配置され、装置筐体の内部のＮＦＣ回路が無線信号から設定変更情報を読み取り、処理部が設定変更情報を含む制御信号を生成して照明装置に出力する。そして、照明装置の制御回路は、制御信号に含まれる設定変更情報に基づいて点灯設定を変更することができる。これにより、新たな通信インフラを増設することなく、照明装置の筐体はもちろんのこと、上位装置の装置筐体を開放することを要さずに点灯設定の変更を可能とする照明制御システムが実現される。特に、本例では、照明制御システムにおける個別の照明装置の点灯設定変更を効率的に行うことが可能となる。
【００１７】
ここで、点灯設定が、点灯回路から光源に供給される出力電流の最大値、光源の累積点灯時間に応じて出力電流を増加させる初期光束補正機能の有効化若しくは無効化の選択、又は累積点灯時間の値、の少なくとも１つを含む。これにより、照明装置の設置後に変更され得る設定値又は機能が設定対象となり、照明制御の柔軟な変更が可能となる。
【００１８】
また、制御回路は、点灯設定を変更したこと又は点灯設定を変更できなかったことに応じて、点灯回路に光源の光量を所定の態様で一時的に変化させるように構成されていてもよい。これにより、作業者が点灯設定変更の成否を認識することができ、円滑な点灯設定変更の作業が可能となる。
【図面の簡単な説明】
【００１９】
【図１】第１の実施形態の照明装置を示す概略図である。
【図２】第１の実施形態の照明装置の代替例を示す概略図である。
【図３】第１の実施形態の照明装置のブロック図である。
【図４Ａ】第１の実施形態の照明装置の点灯設定変更の態様を示す概略図である。
【図４Ｂ】第１の実施形態の照明装置の点灯設定変更の態様を示す概略図である。
【図４Ｃ】第１の実施形態の照明装置の点灯設定変更の態様を示す概略図である。
【図５】第２の実施形態の第１実施例の照明制御システムのブロック図である。
【図６】第２の実施形態の第２実施例の照明制御システムのブロック図である。
【発明を実施するための形態】
【００２０】
＜第１の実施形態＞
図１に、第１の実施形態による照明装置１の概略図（正面図）を示す。本実施形態では、照明装置１は、トンネル照明用の照明器具である。照明装置１は、器具筐体１０、器具筐体１０に内包されるＬＥＤアレイ１１及びＬＥＤ用電源装置１２（照明用電源装置）並びに器具筐体１０の外面に取り付けられたＮＦＣアンテナ１５を備える。なお、本開示におけるＮＦＣとは、Near Field Communication（近距離無線通信）の略である。また、本開示において、図は全て模式図であり、寸法通りではない。
【００２１】
器具筐体１０は、箱型の本体１００及び平板状の透明板１１０で構成される。本体１００は金属製の主面１０１及び側面１０２〜１０５からなり、各面同士の接続部は丸みを有していてもよい。透明板１１０はガラス板など、光を透過させる非導電部材で構成され、透明板１１０の外形（縁部）は、側面１０２〜１０５の主面１０１と反対側の縁部に対応した形状を有し、当該縁部に当接した状態で本体１００に固定される。すなわち、透明板１１０は本体１００の主面１０１に対向配置され、図１では透明板１１０を介して器具筐体１０の内部が示されている。透明板１１０は、本体１００に対して開閉可能に構成され得る。照明装置１（器具筐体１０）は、トンネル内壁の側部から天井部にかけての高所位置に設置される。例えば、器具筐体１０は、透明板１１０が路面を向くように、すなわち斜め下方を向くようにトンネル内壁に設置される。
【００２２】
ＬＥＤアレイ１１は、器具筐体１０の内部で主面１０１に固定され、多数のＬＥＤ素子１１ａを備え、透明板１１０を介して路面方向を照射するように配光される。なお、ＬＥＤ素子１１ａの数は、図示したものに限られない。ＬＥＤ用電源装置１２は、金属製の装置筐体１３を備える。装置筐体１３は、実質的に直方体であり、器具筐体１０の内部で主面１０１に固定される。なお、端子Ｔも器具筐体１０の内部で主面１０１に固定される。ＬＥＤ用電源装置１２は、照明装置１の外部から配線Ｗ１、端子Ｔ及び配線Ｗ２を介して給電され、ＬＥＤアレイ１１に適した電流を生成してその電流を配線Ｗ３を介してＬＥＤアレイ１１に供給する。
【００２３】
ＮＦＣアンテナ１５は、本体１００の外部で側面１０４に固定される。ＮＦＣアンテナ１５は、照明装置１付近のＮＦＣ対応の携帯通信端末６２０又はＮＦＣ対応のＩＣカード６２１が放射する電磁波（無線信号）を検出する。ＮＦＣアンテナ１５が検出した無線信号は、ＬＥＤ用電源装置１２の内部回路に配線Ｗ４を介して伝送される。配線Ｗ４を最短とするために、ＮＦＣアンテナ１５は、装置筐体１３に最も近い側面（本例では側面１０４）に配置されることが望ましいが、装置筐体１３に比較的近い側面（本例では側面１０５）に配置されてもよい。なお、本実施形態では、ＮＦＣアンテナ１５が器具筐体１０の外面に配置される構成を示すが、図２に示すように、ＮＦＣアンテナ１５は器具筐体１０の内部で装置筐体１３の外面に配置されていてもよい。この場合、ＮＦＣアンテナ１５は、視認性及び電波検出範囲の確保の観点から、透明板１１０に対向する面に配置されることが好ましい。
【００２４】
ＮＦＣアンテナ１５が器具筐体１０の外面に配置される場合には、照明装置１の外部からのＮＦＣアンテナ１５の視認性が確保されやすい。また、器具筐体１０内の寸法及び装置筐体１３の配置にかかわらず、確実に電波検出範囲が確保され（すなわち、携帯通信端末６２０又はＩＣカード６２１をアンテナ１５に確実に近づけることが可能となり）、点灯設定変更の作業効率が向上し得る。一方、ＮＦＣアンテナ１５が装置筐体１３の外面に配置される場合には、透明板１１０を介したＮＦＣアンテナ１５の視認性が確保されつつ、器具筐体１０によるＮＦＣアンテナ１５の防汚性などの耐環境性が向上する。
【００２５】
図３に、照明装置１のブロック図を示す。上述したように、照明装置１は、ＬＥＤアレイ１１、ＬＥＤ用電源装置１２（装置筐体１３）及びＮＦＣアンテナ１５を備える。ＬＥＤ用電源装置１２は、装置筐体１３の内部に、点灯回路１４、ＮＦＣ回路１６及び制御回路１７を含む。なお、ＬＥＤ用電源装置１２が装置筐体１３の外部にＮＦＣアンテナ１５を備えるともいえる。
【００２６】
点灯回路１４は、配線Ｗ１及びＷ２（図１及び図２参照）を介して供給される商用電源などの入力電圧を、制御回路１７の制御下で直流電流（電流波形、電流値などが制御された電流）に変換し、その直流電流をＬＥＤアレイ１１に供給する。例えば、点灯回路１４は、入力電圧を全波整流する整流回路、及び整流回路の出力電圧から直流定電流を生成してそれをＬＥＤアレイ１１に出力するＤＣ／ＤＣコンバータを備え、ＤＣ／ＤＣコンバータは可変の出力電流を出力するように構成される。
【００２７】
ＮＦＣ回路１６は、フィルタ回路１６０、情報読取部１６１及び動作電源部１６２を備える。ＮＦＣ回路１６は、ＮＦＣアンテナ１５によって検出された無線信号に含まれる情報を読み取るための一般的な回路であればよい。フィルタ回路１６０は、ＮＦＣアンテナ１５に接続され、ローパスフィルタなどからなる。ＮＦＣアンテナ１５が無線信号を検出した場合、無線信号がフィルタ回路１６０によってフィルタリングされ、電圧信号として情報読取部１６１に入力される。情報読取部１６１は、フィルタ回路１６０から入力された電圧信号に基づいて無線信号に含まれる情報を読み取る。情報読取部１６１によって読み取られた読取情報は、制御回路１７に入力される。動作電源部１６２は、情報読取部１６１の動作電源を生成する。動作電源部１６２は、ＮＦＣアンテナ１５の近接に位置する携帯通信端末６２０からの電磁波によって非接触給電されて動作電源を生成するように構成されてもよいし、点灯回路１４又は制御回路１７から給電されて動作電源を生成するように構成されてもよい。動作電源部１６２が点灯回路１４又は制御回路１７から給電される場合には、情報読取部１６１はＮＦＣアンテナ１５付近のＮＦＣ対応ＩＣカード６２１に書き込まれた情報を読み取ることができる。
【００２８】
制御回路１７は、メモリ１７０、照明制御部１７１、設定変更部１７２及び初期光束補正部１７３を備える。メモリ１７０は、プログラム及びデータ（点灯設定）を記憶するＲＡＭ、ＲＯＭなどの記憶部であり、本実施形態を実行するためのプログラムがすでに書き込まれているものとする。これらの各部は相互に信号又はデータのやり取りが可能な態様で接続される。照明制御部１７１、設定変更部１７２及び初期光束補正部１７３はＣＰＵの一部を構成し、このＣＰＵはそこに含まれる各部の機能とともに、照明制御部１７１、設定変更部１７２及び初期光束補正部１７３の統括制御など、特に明記しない一般的なＣＰＵとしての機能も実行可能であるものとする。メモリ１７０及び上記ＣＰＵは、１つのマイクロコンピュータに含まれ得る。
【００２９】
照明制御部１７１は、メモリ１７０に記憶されている点灯設定に従って点灯回路１４を動作させる（すなわち、ＬＥＤアレイ１１の照明制御を行う）。点灯設定には、点灯回路１４からＬＥＤアレイ１１に供給される出力電流の最大値、適用される調光率、ＬＥＤアレイ１１の累積点灯時間に応じて出力電流を増加させる初期光束補正機能の有効化又は無効化の選択、累積点灯時間の値などが含まれる。初期光束補正機能が有効化されている場合には、照明制御部１７１は、点灯設定において予め指定されている調光率に、後述の初期光束補正部１７３から入力される補正係数を乗じて補正調光率を演算し、この補正調光率を予め設定された最大出力電流値に乗じて出力電流値を決定する。そして、照明制御部１７１は、この出力電流値がＬＥＤアレイ１１に供給されるように点灯回路１４（ＤＣ／ＤＣコンバータ）の動作を制御する。
【００３０】
なお、本開示において、調光点灯とは、全光点灯及び消灯も含むものとし、全光点灯時の調光率が１００％であり、消灯時の調光率が０％であると定義される。なお、点灯設定において複数の調光率が予め指定されていてもよい。例えば、照明装置１が設置されるトンネルの混雑時間帯には相対的に高い調光率が適用され、混雑時間帯以外では相対的に低い調光率が適用されるような設定も可能である。
【００３１】
設定変更部１７２は、ＮＦＣ回路１６（情報読取部１６１）から入力される読取情報から、点灯設定の変更内容を指定する設定変更情報を識別し、その設定変更情報の内容に従って、メモリ１７０に記憶されている点灯設定の変更処理（書換え、上書き又は更新）を行う。設定変更情報は、点灯設定の全部を指定するものであってもよいし、点灯設定のうちの変更箇所のみ（すなわち差分）を指定するものであってもよい。したがって、照明制御部１７１は、この点灯設定の書換えの直後から、変更後の点灯設定に従う照明制御を実行する。
【００３２】
ここで、照明制御部１７１及び設定変更部１７２は、点灯設定が変更されたこと又は点灯設定が変更されなかったことに応じて、点灯回路１４にＬＥＤアレイ１１の光量を所定の態様で一時的に変化させるようにしてもよい。例えば、点灯設定の変更が完了したことに応じてＬＥＤアレイ１１が１回だけ点滅又は明滅し、点灯設定の変更が失敗したことに応じてＬＥＤアレイ１１が複数回にわたって点滅又は明滅するようにしてもよい。また、点灯設定の変更が完了したことに応じてＬＥＤアレイ１１が、変更後の点灯設定による最大出力での点灯と最小出力（最低調光率）での点灯を各数秒ずつ実行するようにしてもよいし、これを複数回繰り返すようにしてもよい。これにより、作業者が点灯設定変更の成否を認識することができ、円滑な点灯設定変更の作業が可能となる。
【００３３】
また、器具筐体１０の視認可能な位置にインジケータ（不図示）を設け、点灯設定が変更されたこと又は点灯設定が変更されなかったことに応じてこのインジケータがそれぞれの態様で点灯、点滅、明滅又は消灯されるようにしてもよい。これにより、作業者は、より明確に点灯設定変更の成否を認識することができる。なお、点灯設定が変更されない場合として、ＮＦＣ回路１６からの情報が不完全な場合（ＮＦＣによる無線信号が通信中に途絶えた場合）、設定変更情報で指定される最大電流値がＬＥＤアレイ１１の定格電流値を超えている場合などが挙げられる。
【００３４】
初期光束補正部１７３は、上述の初期光束補正機能を実行する。具体的には、初期光束補正部１７３は、制御回路１７のＣＰＵに含まれるタイマなどの計時手段（不図示）を参照して、ＬＥＤアレイ１１の累積点灯時間をメモリ１７０に含まれる不揮発性メモリに記憶させる。初期光束補正部１７３は、ＬＥＤアレイ１１の使用開始時（累積点灯時間＝０時間）には低い補正係数（例えば、０．８など）を適用し、累積点灯時間の増加に応じて上記補正係数を増加させる。そして、初期光束補正部１７３は、累積点灯時間が所定時間（例えば、６００００時間など）に達した後に補正係数を１に維持する。これにより、例えば全光点灯を行う場合に、ＬＥＤアレイ１１の出力電流値は、累積点灯時間の増加とともに漸増していき、所定時間経過後は最大出力電流値で一定となる。なお、初期光束補正機能は選択的機能であり、当初から設けられていなくてもよいし、照明装置１の設置後に有効化又は無効化されるように構成されてもよい。
【００３５】
図４Ａに、本実施形態によるトンネル内壁に設置された照明装置１の点灯設定変更の一態様を示す。本態様では、トンネル内において、作業車両６００上の作業者６１０が、携帯通信端末６２０を用いて照明装置１の設定変更を行う。作業車両６００には作業台６０１が設けられ、作業台６０１は昇降機構６０２によって昇降される。携帯通信端末６２０は、スマートフォン、タブレットなどの情報通信端末であればよく、照明装置１の設定変更用のアプリケーションがすでにインストールされ、かつ起動されているものとする。なお、携帯通信端末６２０の代わりに、設定変更情報が書き込まれたＩＣカード６２１が用いられてもよい。
【００３６】
作業者６１０は、作業台６０１に配置され、作業台６１０が上昇位置（概ね照明装置１の位置）まで上昇すると、変更作業を開始する。ＮＦＣの通信可能範囲は、通常は約１０ｃｍ以内である。作業者６１０は、携帯通信端末６２０を照明装置１のＮＦＣアンテナ１５付近（通信可能範囲）にまで近づけて、設定変更情報を含む無線信号を携帯通信端末６２０からＮＦＣアンテナ１５に対して送信する（あるいは、情報読取部１６１が携帯端末６２０からＮＦＣアンテナ１５を介して設定変更情報を読み取る）。これにより、従来必要とされていたような照明装置１の器具筐体１０の開閉、ＬＥＤ用電源装置１２の装置筐体１３の開閉、及びＬＥＤ用電源装置１２の内部操作が不要となり、少ない労力で容易な点灯設定変更が可能となる。
【００３７】
図４Ｂに、本実施形態によるトンネル内壁に設置された照明装置１の点灯設定変更の他の態様を示す。本態様では、トンネル内において、作業者６１０が、操作棒６２５の先端に設置された携帯通信端末６２０を操作することによって設定変更情報を照明装置１に伝送することによって設定変更を行う。本態様における携帯通信端末６２０は、スマートフォンである。携帯通信端末６２０の操作は、リモコン６２６によって行われてもよいし、操作棒６２５のグリップ付近（すなわち、作業者の手元側端部付近）に設けられ得る操作ボタン（不図示）によって行われてもよい。なお、携帯通信端末６２０の代わりに、設定変更情報が書き込まれたＩＣカード６２１が用いられてもよい。
【００３８】
さらに、本例では、作業者６１０は作業車両６００に乗車していなくてもよいし、作業者６１０が何らかの車両に乗車する場合でもその車両が昇降式の作業台を有している必要はない。操作棒６２５は、作業者６１０によって保持されてもよいし、作業車両６００に取り付けられてもよい。後者の場合、トンネル内では多数の照明装置１が同じ高さに配列されていることから、携帯通信端末６２０が照明装置１のＮＦＣアンテナ１５の位置に対応するように操作棒６２５が作業車両６００に固定されてもよい。これにより、図４Ａの態様と同様に、少ない労力で容易な点灯設定変更が可能となる。特に、本態様では、作業者６１０が作業車両６００によって又は徒歩で複数の照明装置１の間を移動し、上記のリモコン６２６又は操作ボタンを操作して設定変更情報を各照明装置１に伝送するだけで点灯設定変更が可能となる。すなわち、作業者６１０の昇降が不要となり、迅速な点灯設定変更の作業が実施される。
【００３９】
図４Ｃに、本実施形態によるトンネル内壁に設置された照明装置１の点灯設定変更の他の態様を示す。本態様では、携帯通信端末６２０の代わりにＮＦＣ対応のＩＣカード６２１が用いられる。ＩＣカード６２１には、予め設定変更情報が書き込まれているものとする。作業車両６００には支持棒６２７が固定され、支持棒６２７の先端にＩＣカード６２１が固定されている。
【００４０】
トンネル内では多数の照明装置１が同じ高さに配列されていることから、ＩＣカード６２１が照明装置１のＮＦＣアンテナ１５の位置に対応するように支持棒６２７が作業車両６００に固定される。特に、作業車両６００が車線の特定の位置を走行すれば（例えば、右側車輪又は左側車輪がいずれかの白線上を通過するように走行すれば）ＩＣカード６２１がそれぞれの照明装置１のＮＦＣアンテナ１５の近接位置を通過するように、支持棒６２７が作業車両６００に固定されることが望ましい。これにより、図４Ａの態様と同様に、少ない労力で容易な点灯設定変更が可能となる。特に、本態様では、作業車両６００が徐行しつつも停止することなくトンネル内を走行することで各照明装置１の点灯設定変更が行われるので、一層迅速な点灯設定変更の作業が可能となる。またさらに、この点灯設定変更の作業の際にトンネル内を通行止めとする必要がなくなり、本態様は円滑な交通の観点からも好ましい。
【００４１】
以上のように、本実施形態の照明装置１は、ＬＥＤアレイ１１と、ＬＥＤ用電源装置１２の装置筐体１３と、装置筐体１３の内部に配置され、ＬＥＤアレイ１１に電力を供給する点灯回路１４と、装置筐体１３の外部に配置され、近距離無線通信用の無線信号を検出可能なＮＦＣアンテナ１５と、装置筐体１３の内部に配置され、ＮＦＣアンテナ１５によって検出された無線信号に含まれる設定変更情報を読み取るＮＦＣ回路１６と、装置筐体１３の内部に配置され、点灯設定を記憶するメモリ１７０、点灯設定に従って点灯回路１４を動作させる照明制御部１７１及び設定変更情報に基づいて点灯設定を変更する設定変更部１７２を含む制御回路１７とを備える。
【００４２】
このように、ＬＥＤ用電源装置１２の装置筐体１３の外部に無線信号を検出するＮＦＣアンテナ１５が配置され、装置筐体１３の内部のＮＦＣ回路１６が無線信号から設定変更情報を読み取り、制御回路１７が設定変更情報に基づいて点灯設定を変更するように構成される。これにより、新たな通信線、大掛かりな送受信機などの新たな通信インフラを増設することなく、ＬＥＤ用電源装置１２の装置筐体１３を開放することを要さずに点灯設定の変更を可能とする照明装置１が実現される。
【００４３】
特に、照明装置１は、ＬＥＤアレイ１１及び装置筐体１３を収容する器具筐体１０を備え、ＮＦＣアンテナ１５は器具筐体１０の外面に配置される。あるいは、照明装置１が、ＬＥＤアレイ１１及び装置筐体１３を収容する器具筐体１０を備え、器具筐体１０はＬＥＤアレイ１１からの光を透過させる非導電体の透明板１１０を有し、ＮＦＣアンテナ１５は装置筐体１３の外面に配置されていてもよい。これにより、器具筐体１０及び装置筐体１３の開放を要さずに点灯設定の変更が可能となる。
【００４４】
＜第２の実施形態＞
上記第１の実施形態では、本発明の構成がトンネル照明用の照明器具に適用される構成を示したが、本実施形態では本発明の構成が照明制御システムに適用される構成を示す。本実施形態では、２つの実施例（第１実施例及び第２実施例）を示す。
【００４５】
＜共通構成＞
図５は、本実施形態の第１実施例による照明制御システム５のブロック図を示し、図６は、本実施形態の第２実施例による照明制御システム５のブロック図を示す。両実施例に関して、第１の実施形態と同様の構成要素及び第１実施例と第２実施例との間で相互に同様の構成要素には同一の符号を付し、その重複する説明を省略する。まず、第１実施例及び第２実施例に共通する構成を説明する。
【００４６】
照明制御システム５は、照明装置１−１〜１−ｍ、親機２、子機３−１〜３−ｎ及び必要に応じて必要に応じて制御装置４を含む。なお、照明装置１−１〜１−ｍを総称して又はいずれか１つを代表して照明装置１というものとし、各照明装置１は実質的に同様の構成を有しているものとする。同様に、子機３−１〜３−ｎを総称して又はいずれか１つを代表して子機３というものとし、各子機３は実質的に同様の構成を有しているものとする。１つの子機３に接続される照明装置１の数は任意である。本開示において、親機２及び子機３の少なくとも一方を総称して上位装置ともいう。
【００４７】
照明装置１、親機２、子機３及び制御装置４の各々は、商用電源などの適宜の電力系統から電源給電されるものとする。親機２と子機３との間は無線接続される。親機２と子機３との無線接続は、例えば、特定小電力無線（例えば、９２０ＭＨｚ帯を利用した通信など）、Ｗｉ−ＳＵＮ、ＺｉｇＢｅｅ（登録商標）、ＢＬＥなどの通信規格に準拠していればよい。子機３と照明装置１とは、ＰＷＭ信号（及び必要に応じて接点信号）が伝送可能な態様で接続されていればよい。親機２と制御装置４とはＬＡＮケーブルなどで接続される。
【００４８】
制御装置４は、例えば岩崎電気株式会社製のＩＴＡＣＳなどであり、処理部４１、記憶部４２、ユーザＩ／Ｆ４３及び出力部４４を備える。処理部４１は、制御装置４の全体を統括制御するプロセッサなどで構成され、記憶部４２はプログラム及びデータを記憶する。ユーザＩ／Ｆ４３は、例えばタッチパネル上のグラフィカルユーザインターフェース（ＧＵＩ）などである。制御装置４は、記憶部４２に記憶された情報又はユーザＩ／Ｆ４３から入力された情報に基づいて照明制御情報を親機２に出力する。この場合、親機２は、この照明制御情報に基づいて制御指令を生成して子機３に送信する。なお、親機２は自律的に（すなわち、制御装置４に制御されることなく）動作して制御指令を生成するものであってもよいし、制御装置４によって制御されて制御指令を生成するものであってもよい。
【００４９】
照明装置１のＬＥＤ用電源装置１２は、点灯回路１４、制御回路１７及び信号入力回路１８を備える。信号入力回路１８は、子機３（信号出力部３４）からの制御信号の入力を受け、入力される制御信号（ＰＷＭ制御信号）をアナログ信号又はデジタル信号に変換して、変換された制御信号を制御回路１７に出力する。例えば、信号入力回路１８は、ＰＷＭ制御信号を積分回路によって積分することによってアナログＤＣ信号に変換することができる。また、信号入力回路１８は、接点信号として制御信号（オン／オフ制御信号）が入力される場合には、その制御信号を所定レベルの電圧信号に変換して、変換された制御信号を制御回路１７に出力することもできる。ＰＷＭ制御信号は、そのデューティ比によって、実行すべき調光率を規定する。例えば、ＰＷＭ制御信号のオンデューティの増加／減少に対して調光率が減少／増加するようにデューティ比が定義される。
【００５０】
制御回路１７は、メモリ１７０、初期光束補正部１７３、モード決定部１７４、照明制御部１７５及び設定変更部１７６を含む。初期光束補正部１７３、モード決定部１７４、照明制御部１７５及び設定変更部１７６の各部は相互に信号又はデータのやり取りが可能な態様で接続されるとともにＣＰＵの一部を構成する。
【００５１】
モード決定部１７４は、ＰＷＭ制御信号のデューティ比の変化を監視及び識別する。なお、デューティ比の変化の識別は、ＰＷＭ制御信号から積分されたアナログＤＣ値又はデジタル値の遷移状態の解析に基づいて行われてもよいし、ＰＷＭ制御信号のＰＷＭ波形の直接の波形解析に基づいて行われてもよい。そして、識別されたデューティ比の変化が設定モード移行用のパターン（以下、「移行指定パターン」という）に対応しない場合、モード決定部１７４は、照明制御のための通常モードを適用する。すなわち、通常モード時には、照明制御のためのデューティ比の変化又は設定モード移行のためのデューティ変化が実行され得る。そして、デューティ比の変化が移行指定パターンに対応しない限り、通常モードが維持及び継続される。一方、識別されたデューティ比の変化が移行指定パターンに対応する場合、モード決定部１７４は、点灯設定変更の処理のための設定モードを適用する。
【００５２】
また、モード決定部１７４は、設定モード移行後にも、ＰＷＭ制御信号のデューティ比の変化を監視及び識別する。そして、識別されたデューティ比の変化が設定モード解除用のパターン（以下、「解除指定パターン」という）に対応する場合に、設定モードを解除して通常モードへの移行を決定する。これにより、通常モードと設定モードとの間の自在な移行が可能となる。
【００５３】
本実施形態では、移行指定パターンは、以下に示すように、実際の照明制御においては一般に実行されないようなデューティ比（オンデューティ又はオフデューティ）の変化パターンによって規定される。なお、解除指定パターンは、移行指定パターンと同じパターンであってもよいし、異なるパターンであってもよい。なお、本開示では、デューティ比に関してオンデューティに着目して説明を行うが、当業者であれば、オフデューティについても同様の説明が当てはまることが分かるはずである。
【００５４】
（１）３値以上のデューティ比の遷移
移行指定パターンは、所定時間内（例えば、１〜５秒程度）における３値以上のデューティ比の変化（遷移）によって規定され得る。この構成により、モード決定部１７４において、確実に移行指定パターンが識別される。例えば、移行指定パターンは、所定時間内のオンデューティの変化：５０％→１００％→０％などで定義される。この移行指定パターンに含まれるオンデューティの成分は３値に限らず４値以上であってもよいし、その遷移は段階的なものに限らず連続的なものであってもよい。また、このようなデューティ比の遷移の所定回数又は所定時間にわたる反復が要件とされてもよい。
【００５５】
（２）２値以上のデューティ比の周期的変化
移行指定パターンは、２値以上のデューティ比の周期的変化によって規定されてもよい。この構成によっても、モード決定部１７４において、確実に移行指定パターンが識別される。例えば、移行指定パターンは、周期的なオンデューティの変化：２５％→７５％→２５％→７５％・・・のように定義され得る。この移行指定パターンに含まれるオンデューティの成分は、２値に限らず３値以上であってもよいし、上記（１）と同様に、０％又は１００％のオンデューティを含んでいてもよい。また、周期的変化は連続的変化であってもよい。
【００５６】
上記（１）３値以上のデューティ比の遷移又は（２）２値以上のデューティ比の周期的変化において、それに伴う明るさの変化が人間の目に明示的に視認されるような変化（以下、「視認変化」という）であってもよいし、明示的に視認されないような変化（以下、「非視認変化」という）であってもよい。なお、明示的に視認される、とは、明るさの変化がちらつきとして視認される以上に容易に認識される態様というものとする。上記の変化が視認変化である場合、ユーザ（作業員などの設定作業者）はモードの移行を確実に認識することができ、作業性が高まる。一方、上記の変化が非視認変化である場合、ユーザ（歩行者などの照明使用者）に視覚的違和感を与えずに設定モードへの移行を行うことができる。
【００５７】
ここで、上記（１）３値以上のデューティ比の遷移において、その遷移の一単位の期間を０．２秒以上、好ましくは１秒以上とし、かつオンデューティ成分の最大値と最小値に対応する調光率の差を２５％以上、好ましくは５０％以上とすることによって、視認変化が実現される。なお、遷移の一単位の期間の上限は、作業性（遷移完了までの待ち時間）などを考慮して５秒以下、好ましくは２秒以下であることが好ましい。
【００５８】
また、上記（２）２値以上のデューティ比の周期的変化において、その周期的変化の周波数を５Ｈｚ以下、好ましくは１Ｈｚ以下とし、かつオンデューティ成分の最大値と最小値に対応する調光率の差を２５％以上、好ましくは５０％以上とすることによって、視認変化が実現される。なお、周波数の下限は、作業性（１周期完了までの待ち時間）などを考慮して０．２Ｈｚ以上、好ましくは０．５Ｈｚ以上であることが好ましい。
【００５９】
ここで、上記（１）３値以上のデューティ比の遷移において、その遷移の一単位の期間を０．１秒以下、好ましくは０．０２秒以下とすることによって非視認変化が実現される。あるいは、オンデューティ成分の最大値と最小値に対応する調光率の差を１０％以下、好ましくは５％以下とすることによって非視認変化が実現される。なお、遷移の一単位の期間の下限は、ＰＷＭ制御信号の周期（例えば、１ｍｓ）に対して充分に長い時間であり、例えば５ｍｓなどであればよい。
【００６０】
また、上記（２）２値以上のデューティ比の周期的変化において、その周波数を１０Ｈｚ以上、好ましくは５０Ｈｚ以上とすることによって非視認変化が実現される。あるいは、オンデューティ成分の最大値と最小値に対応する調光率の差を１０％以下、好ましくは５％以下とすることによって非視認変化が実現される。なお、周波数の上限は、ＰＷＭ制御信号の周波数（例えば、１ｋＨｚ）に対して充分に低い周波数であり、例えば２００Ｈｚなどであればよい。
【００６１】
照明制御部１７５は、通常モードにおいて、ＰＷＭ制御信号のオンデューティに基づいて、照明制御（通常照明制御）を点灯回路１４に実行させる。具体的には、照明制御部１７５は、ＰＷＭ制御信号のオンデューティに基づく調光率に、初期光束補正部１７３から入力される補正係数を乗じて補正調光率を演算し、この補正調光率を予め設定された最大出力電流値に乗じて出力電流値を決定する。そして、照明制御部１７５は、この出力電流値がＬＥＤアレイ１１に供給されるように点灯回路１４（ＤＣ／ＤＣコンバータ）の動作を制御する。
【００６２】
設定変更部１７６は、設定モードにおいて、ＰＷＭ制御信号のオンデューティに基づいて照明制御のための新たな点灯設定（各設定値又は機能選択）を決定し、現在の点灯設定を新たな点灯設定に変更（更新又は上書き）する。また、設定変更部１７６は、設定モード中に複数のオンデューティを識別した場合には、最後に識別されたオンデューティに基づいて最終的な点灯設定を決定する。なお、使用開始当初（例えば出荷時）には適宜の点灯設定が設定されているものとする。
【００６３】
この点灯設定は、上記の最大出力電流値、初期光束補正機能の有効化／無効化の選択、上記の累積点灯時間の開始値（リセット／セット）などである。累積点灯時間のリセットはその開始値をゼロに戻すことであり、累積点灯時間のセットはその開始値を所定値に設定することである。これらの変更は、ＬＥＤアレイ１１とＬＥＤ用電源装置１２の組合せが変更された場合などに必要となり得る。例えば、ＬＥＤアレイ１１を新品のものに交換した場合には、累積点灯時間のリセットが必要となり、ＬＥＤアレイ１１の定格電流値が変更されている場合には、最大出力電流値の変更が必要となる。また、使用中のＬＥＤアレイ１１に対してＬＥＤ用電源装置１２を新品のものに交換した場合には、累積点灯時間のセットが必要となり得る。デューティ比と各点灯設定の関係は、参照テーブルなどとしてメモリ１７０に記憶されているものとする。
【００６４】
例えば、設定モードにおけるオンデューティと、最大出力電流値及び初期光束補正機能の有効化／無効化との関係を以下のように設定することができる。なお、下記は説明のための一例にすぎず、本発明はこれに限定されない。
オンデューティ＝１０％：最大出力電流値＝３００ｍＡ、初期光束補正＝無効
オンデューティ＝２０％：最大出力電流値＝３００ｍＡ、初期光束補正＝有効
・・・・
オンデューティ＝９０％：最大出力電流値＝８００ｍＡ、初期光束補正＝無効
オンデューティ＝１００％：最大出力電流値＝８００ｍＡ、初期光束補正＝有効
【００６５】
さらに、設定モードにおけるオンデューティと、累積点灯時間のリセット／セットの関係を以下のように設定することができる。なお、下記は説明のための一例にすぎず、本発明はこれに限定されない。
オンデューティ＝５％：累積点灯時間＝０時間（リセット）
オンデューティ＝１５％：累積点灯時間＝１００００時間（セット）
オンデューティ＝２５％：累積点灯時間＝２００００時間（セット）
・・・・
オンデューティ＝６５％：累積点灯時間＝６００００時間（セット）
【００６６】
ここで、設定モード適用中において、照明制御部１７５は、信号入力回路１８に入力されるＰＷＭ制御信号とは無関係に、暫定的な照明制御（全光点灯、所定調光率での点灯、消灯など）を実行することができる。これにより、設定モードの適用中にＰＷＭ制御信号のオンデューティ又はその変化が照明状態に影響しない構成とすることができ、照明装置１の利用が妨げられない。言い換えると、任意の時間帯に設定モードによる設定操作を実施することが可能となり、ユーザ（作業員などの設定作業者）における作業効率が向上する。
【００６７】
さらに、上記の暫定的な照明制御は、設定モード移行直前の照明制御を再現するものであることが好ましい。具体的には、照明制御部１７５は、照明制御の状態をメモリ１７０に逐次記憶させておき、設定モードの適用中には、メモリ１７０に記憶されている最新の照明制御を実行する。これにより、照明装置１の使用中において、ユーザ（歩行者などの照明使用者）において、設定モード適用に起因する視覚的違和感が抑制される。
【００６８】
なお、モード決定部１７４において、あるオンデューティ状態が点灯設定の決定を意図するものなのか又は解除指定パターンの一部に含まれているものなのかを識別する必要が生じる。そこで、点灯設定の決定には、解除指定パターンの一部を構成するオンデューティ期間よりも長い時間にわたるオンデューティ状態の継続が要件とされることが好ましい。例えば、解除指定パターンがオンデューティ：５０％（ｘ秒以下）→０％→１００％である場合に、オンデューティ５０％の状態がｘ秒を超えて継続する場合に、オンデューティ５０％に対応する点灯設定が決定される。あるいは、上記識別のために、点灯設定の決定のために定義されたオンデューティが、解除指定パターンのオンデューティ成分を含まないようにしてもよい。
【００６９】
また、移行指定パターンのＰＷＭ制御信号、解除指定パターンのＰＷＭ制御信号及び各点灯設定指定のＰＷＭ制御信号を生成する基となる制御指令は、通常モードにおける照明制御用の制御指令と同様に、親機２から各子機３に送信される。したがって、子機３−１〜３−ｎに対して一括して又は個別に設定モードが実行される。
【００７０】
＜設定モードの変形例（共通構成）＞
なお、本実施形態では、１つの設定モードが設けられる構成を示すが、設定対象の点灯設定に応じて複数の設定モードが設けられてもよい。この場合、設定モード数に応じて移行指定パターンが定義される（解除指定パターンは１つであってもよい）。例えば、最大出力電流値を設定するための最大電流設定モードと、初期光束補正機能を有効化／無効化するための機能設定モードと、累積点灯時間をリセット／セットするための累積時間設定モードとを独立した設定モードとしてもよい。この場合、モード決定部１７４は、それぞれの移行指定パターンを識別して対応する設定モードへの移行を実行する。また、ある設定モードから他の設定モードへの移行を可能としてもよい。
【００７１】
設定変更部１７６は、それぞれの設定モードにおいて、ＰＷＭ制御信号のデューティ比（オンデューティ）に基づいて照明制御のための新たな点灯設定を数値指定によって決定し、現在の点灯設定を新たな点灯設定に変更（書換え、上書き又は更新）する。これにより、特に点灯設定の数値をリニアに指定することができ、点灯設定のきめ細かい設定が可能となる。
【００７２】
例えば、最大電流設定モードにおけるオンデューティと最大出力電流値との関係を以下のようにすることができる。
最大出力電流値（ｍＡ）＝オンデューティ（％）×１０
例えば、オンデューティが４８％の場合、最大出力電流値は４８０ｍＡとなる。
【００７３】
例えば、機能設定モードにおけるオンデューティと初期光束補正機能の有効化／無効化との関係を以下のようにすることができる。
０≦オンデューティ（％）＜５０：初期光束補正機能＝無効
５０≦オンデューティ（％）≦１００：初期光束補正機能＝有効
【００７４】
例えば、累積時間設定モードにおけるオンデューティと累積点灯時間との関係を以下のようにすることができる。
累積点灯時間（時間）＝オンデューティ（％）×１０００
例えば、オンデューティが０％の場合には累積点灯時間は０時間にリセットされ、オンデューティが３６％の場合には累積点灯時間は３６０００時間にセットされる。
【００７５】
なお、本実施形態においても、第１の実施形態と同様に、照明制御部１７５及び設定変更部１７６は、点灯設定が変更されたこと又は点灯設定が変更されなかったことに応じて、点灯回路１４にＬＥＤアレイ１１の光量を所定の態様で一時的に変化させるようにしてもよい。例えば、点灯設定の変更が完了したことに応じてＬＥＤアレイ１１が１回だけ点滅又は明滅し、点灯設定の変更が失敗したことに応じてＬＥＤアレイ１１が複数回にわたって点滅又は明滅するようにしてもよい。これにより、作業者が点灯設定変更の成否を認識することができ、円滑な点灯設定変更の作業が可能となる。
【００７６】
＜第２の実施形態の第１実施例＞
図５を参照して、本実施形態の第１実施例を説明する。本実施例では、ＮＦＣアンテナ及びそれに伴う構成が親機２に設けられる。
【００７７】
親機２は、装置筐体２０を備える。親機２は、装置筐体２０の外面に配置されたＮＦＣアンテナ２５、並びに装置筐体２０の内部に配置された無線通信部２１、処理部２２、メモリ２３、入力部２４及びＮＦＣ回路２６を備える。
【００７８】
装置筐体２０は、金属製であってもよいし、樹脂製であってもよい。いずれの場合であっても、ＮＦＣアンテナ２５が装置筐体２０の外面に配置されることによって、作業者は携帯通信端末６２０又はＩＣカード６２１を近づけるべき位置を容易に認識することができる。ＮＦＣアンテナ２５及びＮＦＣ回路２６は、第１の実施形態におけるＮＦＣアンテナ１５及びＮＦＣ回路１６と実質的に同様である。ＮＦＣアンテナ２５は、親機２付近に存在するＮＦＣ対応の携帯通信端末６２０又はＩＣカード６２１からの電磁波を検出する。
【００７９】
無線通信部２１は、各子機３（無線通信部３１）と無線通信を行う無線モジュールである。処理部２２は、以下に示す機能の他に、特に明記しない一般的なＣＰＵとしての機能を実行可能であるものとする。メモリ２３は、プログラム及びデータを記憶するＲＡＭ、ＲＯＭなどの記憶部であり、本実施形態を実行するためのプログラムがすでに書き込まれているものとする。処理部２２及びメモリ２３は１つのマイクロコンピュータに含まれ得る。入力部２４は、ユーザＩ／Ｆであってもよいし、制御装置４からの照明制御情報が入力される入力Ｉ／Ｆであってもよい。
【００８０】
処理部２２は、制御装置４から入力された照明制御情報から制御指令を生成する。具体的には、ＮＦＣ回路２６によって読み取られた設定変更情報がない場合には、処理部２２は、照明制御情報を制御指令に含める。ＮＦＣ回路２６によって読み取られた設定変更情報がある場合には、処理部２２は、読取情報から設定変更情報を抽出し、設定変更情報を制御指令に含める。設定変更情報は、上述のＰＷＭ信号における移行指定パターン、点灯設定用のオンデューティ及び解除指定パターンを特定するものである。これにより、無線通信部２１は、照明制御情報又は設定変更情報を含む制御指令を子機３に送信する。
【００８１】
子機３は、無線通信部３１、処理部３２、メモリ３３及び信号出力部３４を備える。無線通信部３１は、親機２（無線通信部２１）と無線通信を行う無線モジュールであり、親機２からの制御指令を受信する。信号出力部３４は、ＬＥＤ用電源装置１２（信号入力回路１８）に信号を出力する出力インターフェース（出力チャネル）として機能する。処理部３２は、以下に示す機能の他に、特に明記しない一般的なＣＰＵとしての機能を実行可能であるものとする。メモリ３３は、プログラム及びデータを記憶するＲＡＭ、ＲＯＭなどの記憶部であり、本実施形態を実行するためのプログラムがすでに書き込まれているものとする。処理部３２及びメモリ３３は１つのマイクロコンピュータに含まれ得る。
【００８２】
処理部３２は、無線通信部３１によって受信された制御指令をＰＷＭ制御信号（及び必要に応じて接点信号）からなる制御信号に変換する。この時、制御指令に照明制御情報が含まれる場合には制御信号のＰＷＭオンデューティにその照明制御情報の内容が反映され、制御指令に設定変更情報が含まれる場合には制御信号のＰＷＭオンデューティにその設定変更情報の内容が反映される。すなわち、処理部３２は制御指令の内容を変更せずに信号形式を変換して制御信号を生成し、信号出力部３４はその制御信号をＬＥＤ用電源装置１２に出力する。
【００８３】
作業者は、通常は高所にはない親機２のＮＦＣアンテナ２５に携帯通信端末６２０又はＩＣカード６２１を近づけて点灯設定の変更を行う。すなわち、携帯通信端末６２０又はＩＣカード６２１から、移行指定パターンを特定する情報（以下、「移行指定情報」という）、点灯設定用のオンデューティを特定する情報（以下、「点灯設定情報」）及び解除指定パターンを特定する情報（以下、「解除指定情報」という）が親機２に伝送される。設定変更情報は、移行指定情報、点灯設定情報及び解除指定情報を含み得る。携帯通信端末６２０を用いる場合、移行指定情報、点灯設定情報及び解除指定情報が１回の操作によって（一連の信号として）親機２に伝送されるようにしてもよいし、移行指定情報、点灯設定情報及び解除指定情報が少なくとも３回の操作によって（個別の信号として）親機２に伝送されるようにしてもよい。後者の場合、作業者は、設定モード中に、複数の点灯設定の変更を試行することができる。また、ＩＣカード６２１を用いる場合には、移行指定情報、点灯設定情報及び解除指定情報がＩＣカード６２１に予め書き込まれ、その情報が１回の操作によって（一連の信号として）親機２に伝送される。
【００８４】
＜第２の実施形態の第２実施例＞
図６を参照して、本実施形態の第２実施例を説明する。本実施例では、ＮＦＣアンテナ及びそれに伴う構成が子機３に設けられる。
【００８５】
親機２は、無線通信部２１、処理部２２、メモリ２３及び入力部２４を備える。すなわち、親機２は、制御装置４から入力される照明制御情報に基づいて制御指令を生成し、その制御指令を関連する子機３に無線送信する。
【００８６】
子機３は、装置筐体３０を備える。親機３は、装置筐体３０の外面に配置されたＮＦＣアンテナ３５、並びに装置筐体３０の内部に配置された無線通信部３１、処理部３２、メモリ３３、信号出力部３４及びＮＦＣ回路３６を備える。
【００８７】
装置筐体３０は、金属製であってもよいし、樹脂製であってもよい。いずれの場合であっても、ＮＦＣアンテナ３５が装置筐体３０の外面に配置されることによって、作業者は携帯通信端末６２０又はＩＣカード６２１を近づけるべき位置を容易に認識することができる。ＮＦＣアンテナ３５及びＮＦＣ回路３６は、第１の実施形態におけるＮＦＣアンテナ１５及びＮＦＣ回路１６と実質的に同様である。ＮＦＣアンテナ３５は、子機３付近に存在するＮＦＣ対応の携帯通信端末６２０又はＩＣカード６２１からの電磁波を検出する。
【００８８】
処理部３２は、親機２から受信された制御指令をＰＷＭ信号である制御信号に変換する。具体的には、ＮＦＣ回路３６によって読み取られた設定変更情報がない場合には、処理部３２は親機２から受信された制御指令の内容を変更せずに照明制御情報を含む制御信号を生成する。ＮＦＣ回路３６によって読み取られた設定変更情報がある場合には、処理部３２は親機２から受信された制御指令に変えて、設定変更情報を含む制御信号を生成する。なお、設定変更情報は、上述のＰＷＭ信号における移行指定パターン、点灯設定用のオンデューティ及び解除指定パターンを特定するものである。これにより、信号出力部３１は、照明制御情報又は設定変更情報を含む制御信号（ＰＷＭ信号）を照明装置１に出力する。
【００８９】
作業者は、通常は高所ではなくかつ照明装置１の付近に配置される子機３のＮＦＣアンテナ３５に携帯通信端末６２０又はＩＣカード６２１を近づけて点灯設定の変更を行う。すなわち、携帯通信端末６２０又はＩＣカード６２１から、移行指定情報、点灯設定情報及び解除指定情報（すなわち、設定変更情報）が子機３に伝送される。携帯通信端末６２０を用いる場合、移行指定情報、点灯設定情報及び解除指定情報が１回の操作によって（一連の信号として）子機３に伝送されるようにしてもよいし、移行指定情報、点灯設定情報及び解除指定情報が少なくとも３回の操作によって（個別の信号として）子機３に伝送されるようにしてもよい。後者の場合、作業者は、設定モード中に、複数の点灯設定の変更を試行することができる。また、ＩＣカード６２１を用いる場合には、移行指定情報、点灯設定情報及び解除指定情報がＩＣカード６２１に予め書き込まれ、その情報が１回の操作によって（一連の信号として）子機３に伝送される。
【００９０】
＜第２の実施形態の総括＞
以上のように、本実施形態の第１実施例の照明制御システム５は、親機２、子機３及び照明装置１を備える。親機２は、装置筐体２０と、装置筐体２０の外面に配置され、近距離無線通信用の無線信号を検出可能なＮＦＣアンテナ２５と、装置筐体２０の内部に配置され、ＮＦＣアンテナ２５によって検出された無線信号から設定変更情報を読み取るＮＦＣ回路２６と、装置筐体３０の内部に配置され、設定変更情報が存在しない場合には照明制御情報を含む制御指令を生成し、設定変更情報が存在する場合には設定変更情報を含む制御指令を生成する処理部２２と、装置筐体２０の内部に配置され、子機３に制御指令を送信する無線通信部２１とを備える。子機３は、制御指令を受信する無線通信部３１と、制御指令の信号形式を変換して制御信号を生成する処理部３２と、制御信号を照明装置１に出力する出力部３４とを備える。照明装置１は、ＬＥＤアレイ１１に電力を供給する点灯回路１４と、制御信号が入力される信号入力回路１８と、点灯設定を記憶するメモリ１７０、制御信号が照明制御情報又は設定変更情報を含む場合に通常モード又は設定モードをそれぞれ適用するモード決定部１７４、通常モードにおいて照明制御情報に基づいて点灯回路１４を動作させる照明制御部１７５及び設定モードにおいて設定変更情報に基づいて点灯設定を変更する設定変更部１７６を含む制御回路１７とを備える。
【００９１】
このように、親機２の装置筐体２０の外面に無線信号を検出するＮＦＣアンテナ２５が配置され、装置筐体２０の内部のＮＦＣ回路２６が無線信号から設定変更情報を読み取り、処理部２２が設定変更情報を含む制御指令を生成し、子機３においてこの制御指令が制御信号に形式変換されて照明装置１に伝送される。そして、照明装置１の制御回路１７は、制御信号に含まれる設定変更情報に基づいて点灯設定を変更することができる。これにより、新たな通信インフラを増設することなく、照明装置１又はＬＥＤ用電源装置１２の筐体はもちろんのこと、親機２の装置筐体２０を開放することを要さずに点灯設定の変更を可能とする照明制御システム５が実現される。特に、本例では、親機２において点灯設定の変更が可能であるので、照明装置１から遠隔の位置から、場合によっては複数の照明装置１の点灯設定変更を効率的に行うことが可能となる。
【００９２】
また、本実施形態の第２実施例の照明制御システム５は、少なくとも子機３（上位装置）及び照明装置１を備える。子機３は、装置筐体３０と、装置筐体３０の外面に配置され、近距離無線通信用の無線信号を検出可能なＮＦＣアンテナ３５と、装置筐体３０の内部に配置され、ＮＦＣアンテナ３５によって検出された無線信号に含まれる設定変更情報を読み取るＮＦＣ回路３６と、装置筐体３０の内部に配置され、設定変更情報が存在しない場合には照明制御情報を含む制御信号を生成し、設定変更情報が存在する場合には設定変更情報を含む制御信号を生成する処理部３２と、制御信号を照明装置１に出力する信号出力部３４とを備える。照明装置１は、ＬＥＤアレイ１１に電力を供給する点灯回路１４と、制御信号が入力される信号入力回路１８と、点灯設定を記憶するメモリ１７０、制御信号が照明制御情報又は設定変更情報を含む場合に通常モード又は設定モードをそれぞれ適用するモード決定部１７４、通常モードにおいて照明制御情報に基づいて点灯回路１４を動作させる照明制御部１７５及び設定モードにおいて設定変更情報に基づいて点灯設定を変更する設定変更部１７６を含む制御回路１７とを備える。
【００９３】
このように、子機３（上位装置）の装置筐体３０の外面に無線信号を検出するＮＦＣアンテナ３５が配置され、装置筐体３０の内部のＮＦＣ回路３６が無線信号から設定変更情報を読み取り、処理部３２が設定変更情報を含む制御信号を生成して照明装置１に出力する。そして、照明装置１の制御回路１７は、制御信号に含まれる設定変更情報に基づいて点灯設定を変更することができる。これにより、新たな通信インフラを増設することなく、照明装置１又はＬＥＤ用電源装置１２の筐体はもちろんのこと、子機３の装置筐体３０を開放することを要さずに点灯設定の変更を可能とする照明制御システム５が実現される。特に、本例では、照明制御システム５における個別の照明装置１の点灯設定変更を効率的に行うことが可能となる。
【００９４】
＜変形例＞
以上に本発明の好適な実施形態を示したが、本発明は、例えば以下に示すように種々の態様に変形可能である。
【００９５】
（１）照明装置１の用途についての変形
上記第１の実施形態では、照明装置１がトンネル照明用の照明装置である構成を例示したが、照明装置１は道路灯、街路灯などの他の照明装置としても構成可能である。また、ＬＥＤアレイ１１及びＬＥＤ用電源装置１２が器具筐体１０に内包される構成を示したが、ＬＥＤアレイ１１とＬＥＤ用電源装置１２とは別置されてもよい。この場合、ＮＦＣアンテナ１５は、ＬＥＤ用電源装置１２の装置筐体１３の外面に固定される。この構成によっても、装置筐体１３を開放することなく点灯設定の変更が可能となる。
【００９６】
（２）システム構成に関する変形
上記第２の実施形態では、無線接続される親機２及び子機３を備える照明制御システム５を示した。一方、照明制御システム５において、親機と子機が有線接続される構成にも本発明は適用可能である。また、親機、子機及び照明装置の間の照明制御のための通信は、ＤＭＸ５１２、ＲＤＭ（Remote Device Management）、ＤＡＬＩ（Digital Addressable Interface）など、他の通信方式に従うものであってもよい。また、第２の実施形態の第２実施例は、親機２が存在せずに子機３のような装置が自律的に動作するシステム構成にも適用可能である。この場合、子機３に対応する装置が上位装置となる。
【００９７】
（３）通信技術に関する変形
上記第１及び第２の実施形態では、通信技術としてＮＦＣ技術を用いる構成を示したが、ＮＦＣ技術の代わりに、ＲＦＩＤ（Radio Frequency Identifier）技術に含まれる他の通信技術を用いることも可能である。
【００９８】
（４）光源に関する変形
上記第１及び第２の実施形態では、照明装置１が、光源としてＬＥＤアレイ１１を含み、照明用電源装置としてＬＥＤ用電源装置１２を含む構成を示した。一方、照明装置１において、光源は放電灯などの他の種類の光源であってもよく、その場合には、放電灯用電源装置など、その光源に適した照明用電源装置（特にその光源に適した点灯回路１４）が採用されるものとする。
【符号の説明】
【００９９】
１  照明装置
２  親機（上位装置）
３  子機（上位装置）
５  照明制御システム
１０  器具筐体
１１  ＬＥＤアレイ（光源）
１２  ＬＥＤ用電源装置（照明用電源装置）
１３  装置筐体
１４  点灯回路
１５  ＮＦＣアンテナ
１６  ＮＦＣ回路
１７  制御回路
１８  信号入力回路
２０  装置筐体
２１  無線通信部（親機通信部）
２２  処理部（親機処理部）
２５  ＮＦＣアンテナ
２６  ＮＦＣ回路
３０  装置筐体
３１  無線通信部（子機通信部）
３２  処理部（子機処理部）
３４  信号出力部
３５  ＮＦＣアンテナ
３６  ＮＦＣ回路
１７０  メモリ
１７１、１７５  照明制御部
１７２、１７６  設定変更部
１７４  モード決定部
【図１】
2019121565.tif 000003
【図２】
2019121565.tif 000004
【図３】
2019121565.tif 000005
【図４Ａ】
2019121565.tif 000006
【図４Ｂ】
2019121565.tif 000007
【図４Ｃ】
2019121565.tif 000008
【図５】
2019121565.tif 000009
【図６】
2019121565.tif 000010